(57)【要約】      （修正有）【課題】砂や泥等の海底の状況に対応して、釣り人の意思により適切な砂煙を発生させる事を可能にし、従来並に低コストで製造可能な、釣り用錘を提供する。【解決手段】錘本体１と同素材からなる、三角形や四角形等の底辺が広く衝撃に強く折れ欠けしにくい形状の明確な凹凸部３、砂掻き揚げ用凹凸部３として錘本体１の側面２に形成した。小さく竿先を跳ね上げる動作の小突きで錘本体１が海底１０で転がる時にだけ、錘本体１の側面２に形成した凹凸部３が海底１０の砂を掻き揚げる機能を備えた。いわゆる通常の小突き、錘底面が海底１０を叩く小突きの場合は、凹凸部３が錘本体１の側面２に形成されているため、ナス型や六角型錘と同様に砂煙１２の発生は少ない。【選択図】図１０
0003168924.tif 000002
【実用新案登録請求の範囲】
【請求項１】
錘本体と同素材からなる、三角形や四角形等の底辺が広く衝撃に強く折れ欠けしにくい形状の明確な凹凸部を、砂掻き揚げ用凹凸部として錘本体の側面に形成した、釣り用錘。
【請求項２】
砂掻き揚げ用凹凸部が複数の凹部からなる、請求項１記載の釣り用錘。
【請求項３】
砂掻き揚げ用凹凸部が複数の凸部からなる、請求項１記載の釣り用錘。
【請求項４】
砂掻き揚げ用凹凸部が凹部からなり、外周水平に１列形成されてなる、請求項１記載の釣り用錘。
【請求項５】
砂掻き揚げ用凹凸部が凸部からなり、外周水平に１列形成されてなる、請求項１記載の釣り用錘。
【請求項６】
砂掻き揚げ用凹凸部が凹部からなり、外周水平に複数列形成されてなる、請求項２記載の釣り用錘。
【請求項７】
砂掻き揚げ用凹凸部が凸部からなり、外周水平に複数列形成されてなる、請求項３記載の釣り用錘。
【請求項８】
砂掻き揚げ用凹凸部が外周径の異なる段差からなり、外周水平に１列形成されてなる、請求項１記載の釣り用錘。
【請求項９】
砂掻き揚げ用凹凸部が外周径の異なる段差からなり、外周水平に複数列形成されてなる、請求項１記載の釣り用錘。
【考案の詳細な説明】
【技術分野】
【０００１】
本考案は、かれいやあいなめ等の海底付近に生息する魚の釣りに用いる錘に関するものである。
【背景技術】
【０００２】
かれいやあいなめ等の海底付近に生息する魚の釣りには、小突きと呼ばれる竿を上下に動かして錘を上下動させる釣り方が有効である。錘の上下動で魚の注意を引くとともに、錘底面で海底を叩いて砂煙を発生させ魚を寄せるのである。
【０００３】
しかし、海底の状況は粒子の大きな砂で小突いても砂煙が発生し難かったり、粒子の細かな泥状で錘が海底を叩くだけで砂煙が発生し易かったりと様々である。砂煙は発生させれば良いものではない。泥状の海底で砂煙が発生しすぎると、仕掛けやエサを覆い隠してしまう事になり逆効果である。
【０００４】
広く一般に使用されるナス型や６角型の錘は、小突く事により粒子の細かな泥状の海底では砂煙を発生させるものの、粒子の大きな砂状の海底ではほとんど砂煙を発生させる事ができない。同様に一般的な釣鐘型の錘底面に窪みのある錘は、小突く事により錘底面の窪みの吸い上げ効果で砂状の海底でも砂煙を発生させる事ができるが、泥状の海底では砂煙が発生しすぎる欠点があった。［図１１］
【０００５】
砂煙を効率的に発生させる、特許文献１のような錘もあるが、釣鐘型の錘と同様に、粒子の細かな泥状の海底では砂煙が発生しすぎるため、仕掛けやエサを覆い隠してしまうのである。
【０００６】
特許文献２も錘内に内臓されたモーターにより砂煙を発生させるものであるが、程度の調整が難しく、様々な海底の状況に対応できないうえ、錘が消耗品である事を考慮すれば、低コストで製作可能なものが望ましいのです。
【先行技術文献】
【特許文献】
【０００７】
【特許文献１】特開２００６−３４０７０６号公報
【特許文献２】特開２００８−１７７７２号公報
【考案の概要】
【考案が解決しようとする課題】
【０００８】
海底の状況に応じて、釣り人の意思により適切な砂煙を発生させる事が可能で、なおかつ低コストで製作可能な釣り用錘を提供する事が、本考案の課題である。
【課題を解決するための手段】
【０００９】
本考案に係る釣り用錘は、錘本体１と同素材からなる、三角形や四角形等の底辺１４が広く衝撃に強く折れ欠けしにくい形状の明確な凹凸部３を錘本体１の側面２に形成する事により、錘本体１が海底１０で転がる時にだけ、側面の凹凸部３が海底１０の砂を掻き揚げ砂煙１２を発生させる機能を備えた。砂煙が発生し難い砂状の海底では、小さく竿先を跳ね上げる動作の小突きで錘本体１を左右に転がし、側面の凹凸部３により砂を掻き揚げるのである。凹凸部３が錘本体の側面２に形成されているため、いわゆる通常の小突き、錘底面が海底１０を叩く小突きの場合は、ナス型や６角型錘と同様に砂煙１２の発生は少ない。
【００１０】
海底の状況が砂状であるか泥状であるかは竿の感覚で釣り人に伝わるため、海底が砂状の場合にだけ、釣り人の意思により小さく竿先を跳ね上げる動作の小突きで錘を転がし、適切に砂煙を発生させる事ができるのである。
【００１１】
小さく竿先を跳ね上げる動作の小突きでは、ナス型や６角型の錘でも通常の小突きより多少の砂煙は発生させる事ができるが、本考案の錘は、錘本体の側面に形成した凹凸部や段差により効率的に砂煙を発生させる事ができるのである。
【００１２】
もちろん、砂状でも泥状でも、砂煙を少しだけ発生させるのも、たくさん発生させるのも釣り人の意思しだいである事は言うまでも無い。
【考案の効果】
【００１３】
以上のように本考案によれば、従来のナス型・６角型・釣鐘型の錘や、特許文献１や特許文献２ではできなかった、海底の状況に合わせた釣り人の意思による適切な砂煙を発生させる事が可能であり、シンプルな構造で従来並みの低コストでの製作も可能である。
【考案を実施するための最良の形態】
【００１４】
以下、本考案の実施の形態について、図に基づいて説明する。
【実施例】
【００１５】
錘本体の側面に形成される、砂を掻き揚げ砂煙を発生させるための凹凸部の形状は、形成意義と砂煙発生の方法とが同一でありながらも限りなく存在するため、一例として図示するが、これに限定されるものではない。
【００１６】
図１は請求項１に係る考案を示した、釣り用錘の立体図である。錘本体１に止め具７は一般的な錘と同様であるが、錘本体１の側面２に砂掻き揚げ用凹凸部３を形成している。凹凸部３が側面２に形成されている為、いわゆる通常の小突き、錘底面が海底を叩く小突きの場合は、ナス型や６角型錘と同様に泥状の海底での砂煙の発生は少ない。釣り人の意思により海底が砂状の場合にだけ、小さく竿先を跳ね上げる動作の小突きで錘本体１を転がす事により、側面２に形成された凹凸部３が海底の砂を掻き揚げ砂煙を発生させる事ができる。砂煙の量は釣り人の意思しだいで、小突き方により調整可能である。
【００１７】
図２は請求項２に係る考案を示した釣り用錘の立体図である。２aから２dまで全て、錘本体１の側面２に形成した砂掻き揚げ用凹凸部が、複数の凹部４からなっている。
２aは数個の大きな四角形の凹部４を、２bは多数の小さな丸型の凹部４を、２cは数個の三角形の凹部４を、２dは数個の台形の凹部４を形成している。
【００１８】
図３は請求項３に係る考案を示した釣り用錘の立体図である。３aから３dまで全て、錘本体１の側面２に形成した砂掻き揚げ用凹凸部が、複数の凸部５からなっている。３aは多数の丸型の凸部５を、３bは数個の三角形の凸部５を、３cは数個のへの字型の凸部５を、３dは数個のVの字型の凸部５を形成している。
【００１９】
図４は請求項４に係る考案を示した釣り用錘の立体図である。４aから４dまで全て、錘本体１の側面２に形成した砂掻き揚げ用凹凸部が凹部４からなり、外周水平に１列形成されている。４aは１列の直線状の凹部４を、４bは１列の破線状の凹部４を、４cは１列の波線状の凹部４を、４dは１列のジグザグ線状の凹部４を形成している。
【００２０】
図５は請求項５に係る考案を示した釣り用錘の立体図である。５aから５dまで全て、錘本体１の側面２に形成した砂掻き揚げ用凹凸部が凸部５からなり、外周水平に１列形成されている。５aは１列の直線状の凸部５を、５bは１列の破線状の凸部５を、５cは１列の波線状の凸部５を、５dは１列のジグザグ線状の凸部５を形成している。
【００２１】
図６は請求項６に係る考案を示した立体図である。６aから６dまで全て、錘本体１の側面２に形成した砂掻き揚げ用凹凸部が凹部４からなり、外周水平に複数列形成されている。６aは複数列の直線状の凹部４を、６bは複数列の破線状の凹部４を、６cは複数列の波線状の凹部４を、６dは複数列のジグザグ線状の凹部４を形成している。
【００２２】
図７は請求項７に係る考案を示した立体図である。７aから７dまで全て、錘本体１の側面２に形成した砂掻き揚げ用凹凸部が凸部５からなり、外周水平に複数列形成されている。７aは複数列の直線状の凸部５を、７bは複数列の破線状の凸部５を、７cは複数列の波線状の凸部５を、７dは複数列のジグザグ線状の凸部５を形成している。  
【００２３】
図８は請求項８に係る考案を示した立体図である。８aから８dまで全て、錘本体１の側面２に形成した砂掻き揚げ用凹凸部が外周径の異なる段差６からなり、外周水平に１列形成されている。８aは１列の直線状の段差６を、８bは１列のU字線状の段差６を、８cは１列のコの字線状の段差６を、８dは１列のジグザグ線状の段差６を形成している。  
【００２４】
図９は請求項９に係る考案を示した立体図である。９aから９dまで全て、錘本体１の側面２に形成した砂掻き揚げ用凹凸部が外周径の異なる段差６からなり、外周水平に複数列形成されている。９aは複数列の直線状の段差６を、９bは複数列のコの字線状の段差６を、９cは複数列のジグザグ線状の段差６を、９dは複数列の波線状の段差６を形成している。
【００２５】
図１０は本考案の錘の海底での動きを示した立体図である。１０aは、海底１０が泥状で砂煙が発生しやすい状態での錘の動き１１を示した立体図である。通常の小突き、いわゆる錘底面が海底１０を叩く小突きの場合は、ナス型や６角型錘と同様に泥状の海底１０での砂煙１２の発生は少ない。凹凸部３が錘本体１の側面２に形成されているためである。１０bは、砂状の海底１０で砂煙が発生し難い状態での錘の動き１１を示した立体図である。小さく竿先を跳ね上げる動作の小突きで錘本体１を左右に転がす事により、錘本体１の側面２に形成された凹凸部３が砂を掻き揚げ砂煙１２を発生させるのである。
【００２６】
図１１は従来の釣鐘型錘１３の海底での動き１１を示した立体図である。１１aは、砂状の海底１０で小突いた状態を示している。ナス型や６角型錘では砂煙１２が発生し難いが、錘の底面部に凹部４が形成されているため、小突く事により凹部４の吸い上げ効果で砂状の海底１０でも砂煙１２を発生させる。１１bは泥状の海底１０で小突いた状態を示した立体図である。錘の底面部に形成された凹部４の吸い上げ効果により、粒子の細かい泥状の海底１０では小突くだけで砂煙１２が発生しすぎてしまう。
【００２７】
図１２は、凹凸部形状の例を示した平面図である。錘本体の側面２を基準にした凹部または凸部をあらわしている。効率的に砂を掻き揚げるためには明確な凹凸部３でなければならないが、同時に海底にぶつかり擦れる部分であるため薄い鍔状等では無く、三角形や四角形等の底辺１４が広く衝撃に強く折れ欠けしにくい形状でなければならない。
【００２８】
各請求項とも同じ原理、同じ動作により砂煙を発生させる。錘本体１の側面２に形成される、砂掻き揚げ用の凹凸部３、凹部４、凸部５、段差６の形状はこの他にも限りなく存在するが、凹凸部の形成意義と砂煙発生の方法とが同一であるため、請求項１〜９としたものである。
【００２９】
通常は天秤等の仕掛けに錘を取り付けて使用するが、錘の動きを解りやすくするために省略した。また、図はナス型錘で示しているが、上部に止め具が付いた他の釣り用錘でも同様である。
【産業上の利用可能性】
【００３０】
本考案はシンプルでありながら海底の状況に応じて、釣り人の意思により適切な砂煙を発生させることが可能で、低コストで製造でき需要が期待される。
【図面の簡単な説明】
【００３１】
【図１】は請求項１に係る考案を示した、釣り用錘の立体図である。
【図２】２aから２dは請求項２に係る考案を示した、釣り用錘の立体図である。
【図３】３aから３dは請求項３に係る考案を示した、釣り用錘の立体図である。
【図４】４aから４dは請求項４に係る考案を示した、釣り用錘の立体図である。
【図５】５aから５dは請求項５に係る考案を示した、釣り用錘の立体図である。
【図６】６aから６dは請求項６に係る考案を示した、釣り用錘の立体図である。
【図７】７aから７dは請求項７に係る考案を示した、釣り用錘の立体図である。
【図８】８aから８dは請求項８に係る考案を示した、釣り用錘の立体図である。
【図９】９aから９dは請求項９に係る考案を示した、釣り用錘の立体図である。
【図１０】１０a、１０bは、本考案の海底での錘の動きを示した立体図である。
【図１１】１１a、１１bは従来の釣鐘型錘の海底での動きを示した立体図である。
【図１２】は、砂掻き揚げ用凹凸部形状の例を示した平面図である。
【符号の説明】
【００３２】
１      錘本体
２      側面
３      凹凸部
４      凹部
５      凸部
６      段差
７      止め具
８      スナップスイベル
９      道糸
１０    海底
１１    錘の動き
１２    砂煙
１３    釣鐘型錘
１４    凹凸部形状の底辺
【図１】
0003168924.tif 000003
【図２】
0003168924.tif 000004
【図３】
0003168924.tif 000005
【図４】
0003168924.tif 000006
【図５】
0003168924.tif 000007
【図６】
0003168924.tif 000008
【図７】
0003168924.tif 000009
【図８】
0003168924.tif 000010
【図９】
0003168924.tif 000011
【図１０】
0003168924.tif 000012
【図１１】
0003168924.tif 000013
【図１２】
0003168924.tif 000014